(57)【要約】【課題】  置台とフロントカバとの隙間から置台上に水が入り込んでも、置台上に載置された感震器の内部や感震器と電気的に接続される対震自動消火装置や制御回路の電気的導通部分に水が進入することのないようにする。【解決手段】  本体１を載置する置台２の上面に対震自動消火装置３を動作させる感震器５を具備し、かつ、置台２と本体１のフロントカバ１ａとの間に隙間Ｌが設けられている燃焼温風暖房機において、置台２の上面に水滴の盛り上る高さｈ１より高いｈ２を有する感震器取付部２ａを形成し、更に、この感震器取付部２ａを前記ｈ２より高いｈ３で本体１のフロントカバ１ａ側が閉じ、その反対側が開く略扇状の突起２ｂで囲み、感震器取付部２ａの上面に感震器５を設置した。【選択図】  図１
2005114183.tif 000002
【特許請求の範囲】
【請求項１】
本体（１）を載置する置台（２）の上面に対震自動消火装置（３）を動作させる感震器（５）を具備し、かつ、置台（２）と本体（１）のフロントカバ（１ａ）との間に隙間（Ｌ）が設けられている燃焼温風暖房機において、置台（２）の上面に水滴（７）の盛り上る高さ（ｈ１）より高い（ｈ２）を有する感震器取付部（２ａ）を形成し、更に、この感震器取付部（２ａ）を前記（ｈ２）より高い（ｈ３）で本体（１）のフロントカバ（１ａ）側が閉じ、その反対側が開く略扇状の突起（２ｂ）で囲み、感震器取付部（２ａ）の上面に感震器（５）を設置したことを特徴とする燃焼温風暖房機。
【発明の詳細な説明】
【技術分野】
【０００１】
本発明は、地震発生時の震動を感知して自動的に燃焼を停止させる燃焼温風暖房機に関し、詳しくは暖房機本体に侵入した水が地震発生時の震動を感知する感震器に侵入するのを防止する構造に関するものである。
【背景技術】
【０００２】
従来のこの種の燃焼温風暖房機においては、安全性の面から地震発生時の震動を感知して自動的に燃焼を停止させる対震自動消火装置が設置されているが、震動を感知する感震器は図３、図４および図５に示すように、本体１を載置する置台２の上面に取り付けられるのが一般的であった（特許文献１）。
【０００３】
しかし、近年は前記本体１の小型化が進むにつれて、図３に示すように本体１内の燃焼部６の下部にこもる熱を放出するために、感震器５を設置した置台２と本体１のフロントカバ１ａとの間に隙間Ｌを設け、この隙間Ｌを通して前記した熱を本体１の外側に放散するようにしていた。
【０００４】
そして、感震器５は、図４および図５に示すように、震動による誤作動を防止するため置台２の上面に平面度を出すための高さの低い座押しよりなる感震器取付部２ａを設け、その上面に設置していた。
【０００５】
【特許文献１】特開２００１−１４７０１４号公報
【発明の開示】
【発明が解決しようとする課題】
【０００６】
しかし、上記した従来の燃焼温風暖房機においては、置台２とフロントカバ１ａとの間に隙間Ｌがあることにより、本体１の外側からこの隙間Ｌを通して水が入り易くなっており、誤って水が入り込むと置台２の上面を伝わって高さの低い感震器取付部２ａを乗り越え、感震器５の下面から内部に入り込んで制御回路４に連なる対震自動消火装置３の端子などの電気的導通部分に容易に浸入し、制御回路４にエラーを発生させる等、誤作動を生じる原因となっていた。
【課題を解決するための手段】
【０００７】
本発明は、上述の課題を解決するためになされたものであり、具体的には、本体を載置する置台の上面に対震自動消火装置を動作させる感震器を具備し、かつ、前記置台と本体のフロントカバとの間に隙間Ｌが設けられている燃焼温風暖房機において、置台の上面に水滴の盛り上る高さｈ１より高いｈ２を有する感震器取付部を形成し、更に、この感震器取付部を前記ｈ２より高いｈ３で本体のフロントカバ側が閉じ、その反対側が開く略扇状の突起で囲み、感震器取付部の上面に感震器を設置したものである。
【発明の効果】
【０００８】
本発明は上記のように構成したことにより、置台とフロントカバとの隙間Ｌから置台上に水が入り込んでも、置台の上面を伝わった水は表面張力による水滴の高さｈ１より充分高い高さで、本体のフロントカバ側が閉じ、その反対側が開く略扇状の突起により水の流れを感震器取付部以外の方向に誘導し、突起に囲まれて感震器を設置している感震器取付部に水が浸入するのを阻止するので、感震器の内部や感震器と電気的に接続される対震自動消火装置や制御回路の電気的導通部分に水が浸入することがなく、制御回路にエラーを発生させる等、誤作動を生じることがないものである。
【発明を実施するための最良の形態】
【０００９】
以下、本発明の実施例を図面中の図１から図３に従って説明する。
【００１０】
まず、１は暖房機の本体で、前面外郭を構成するフロントカバ１ａ、側面外郭と背面外郭を構成するキャビネット１ｂおよび上面外郭を構成するトップカバ１ｃとで構成されている。
【００１１】
３は対震自動消火装置で、本体１内の下部に設置されており、置台２上に設置された感震器５およびトップカバ１ｃの下面に設置された制御回路４と電気的に接続され、同じく本体１内の下部に設置された燃焼部６を制御する。
【００１２】
前記置台２とフロントカバ１ａの下端には隙間Ｌ（５ｍｍ程度）が保たれる構造になっており、燃焼部６の周辺にこもる熱をこの隙間Ｌを通して本体１の外部に放散するようにしている。
【００１３】
次に置台２と感震器５との詳細について説明する。
【００１４】
置台２の上面に、図２に示すように、座押しにより水滴７が表面張力によって盛り上る高さｈ１（例えば２ｍｍ）より高い感震器取付部２ａを高さｈ２（例えば３ｍｍ）で構成し、更に、この感震器取付部２ａを高さｈ２より高いｈ３（例えば５ｍｍ）で、本体１のフロントカバ１ａ側が閉じ、内部側が開く、例えば開き角度１５０度程度の略扇状の突起２ｂで囲み、感震器取付部２ａの上面に感震器５を設置する。この略扇状の突起２ｂは、置台２とフロントカバ１ａの下端間の隙間Ｌ側から流入する水を略扇状部分で流れの方向を誘導し、感震器取付部２ａ上に達しないようにする。
【００１５】
次に、上記一実施例の動作について説明する。
【００１６】
本体１のフロントカバ１ａまたはトップカバ１ｃに何らかの理由により水が掛かり、その水がフロントカバ１ａと置台２との隙間Ｌから置台２上に入り込んだ場合、その水は表面張力によって水滴７の盛り上る高さｈ１より高いｈ３で本体１のフロントカバ１ａ側が閉じ、内側が開く略扇状の突起２ｂによって流れる方向を誘導され、感震器取付部２の上面に設置した感震器５の内部や感震器５と電気的に接続される対震自動消火装置３や制御回路４の電気的導通部分に水が浸入することがなく、制御回路４にエラーを発生させる等、誤作動を生じることがない。
【図面の簡単な説明】
【００１７】
【図１】本発明の一実施例を示す置台の斜視説明図である。
【図２】図１のＷ−Ｗの断面図である。
【図３】本発明および従来の燃焼温風暖房機の概略構造図である。
【図４】従来例の置台の斜視説明図である。
【図５】図４のＹ−Ｙ断面図である。
【符号の説明】
【００１８】
１    本体
１ａ  フロントカバ
１ｂ  キャビネット
１ｃ  トップカバ
２    置台
２ａ  感震器取付部
２ｂ  突起
３    対震自動消火装置
４    制御回路
５    感震器
【図１】
2005114183.tif 000003
【図２】
2005114183.tif 000004
【図３】
2005114183.tif 000005
【図４】
2005114183.tif 000006
【図５】
2005114183.tif 000007